(57)【特許請求の範囲】
【請求項１】
搬送されて載置部に載ったシートに形成されている画像の前記載置部に対する向きを取得する取得部と、
前記画像が形成されて前記載置部に載ったシートを前記載置部に対して特定の方向から見た外観を表す第１画像を表示部に表示させる制御を行い、当該画像について決められた前記向きが取得された場合は当該方向から見た外観は表さず当該方向とは異なる方向から見た当該シートの外観を表す第２画像を表示させる表示制御部と
を備える情報処理装置。
【請求項２】
前記表示制御部は、前記シートの片面に前記画像が形成され、且つ、当該画像が前記載置部を向く向きが前記取得部により取得された場合は、前記載置部側から見た当該シートの外観を表す画像を前記第２画像として表示させる
請求項１に記載の情報処理装置。
【請求項３】
前記表示制御部は、前記シートの両面に前記画像が形成される場合は、前記載置部とは反対側から当該シートを見る方向を前記特定の方向として前記第１画像を表示させ、前記載置部側から見た当該シートの外観を表す画像は表示させない
請求項１又は２に記載の情報処理装置。
【請求項４】
前記画像は上下が決まっており、
前記載置部はユーザにとっての手前側と奥側が決まっており、
前記表示制御部は、前記表示部の表示面の上側が前記奥側となり、当該表示面の下側が前記手前側となる方向を前記特定の方向として前記第１画像を表示させ、前記シートに形成される画像の上部が前記手前側に向く向きが前記取得部により取得された場合は、当該上部が前記表示面の上側になる方向から見た前記シートの外観を表す画像を前記第２画像として表示させる
請求項１から３のいずれか１項に記載の情報処理装置。
【請求項５】
前記画像は上下が決まっており、
前記載置部はユーザにとっての手前側と奥側が決まっており、
前記表示制御部は、前記表示部の表示面の上側が前記奥側となり、当該表示面の下側が前記手前側となる方向を前記特定の方向として前記第１画像を表示させ、前記載置部に前記シートが搬出される搬出方向の上流側に前記画像の上部が向く向きが前記取得部により取得された場合は、前記表示面の上側が前記手前側となる方向から見た前記シートの外観を表す画像を前記第２画像として表示させる
請求項１から４のいずれか１項に記載の情報処理装置。
【請求項６】
前記表示制御部は、前記第２画像を表示させた場合、当該第２画像が表すシートの外観から前記第１画像が表すシートの外観に移り変わるアニメーションを表示させる
請求項１から５のいずれか１項に記載の情報処理装置。
【請求項７】
コンピュータを、
搬送されて載置部に載ったシートに形成されている画像の前記載置部に対する向きを取得する取得部と、
前記画像が形成されて前記載置部に載ったシートを前記載置部に対して特定の方向から見た外観を表す第１画像を表示部に表示させる制御を行い、当該画像について決められた前記向きが取得された場合は当該方向から見た外観は表さず当該方向とは異なる方向から見た当該シートの外観を表す第２画像を表示させる表示制御部
として機能させるためのプログラム。
【発明の詳細な説明】
【技術分野】
【０００１】
本発明は、情報処理装置及びプログラムに関する。
【背景技術】
【０００２】
シートに形成される画像の把握を容易にするための技術がある。例えば特許文献１には、印刷残り時間の情報とともに印刷済み部分の縮小画像を表示する技術が開示されている。
【先行技術文献】
【特許文献】
【０００３】
【特許文献１】特開２００９−１２５９９６号公報
【発明の概要】
【発明が解決しようとする課題】
【０００４】
画像が形成されたシートは排出トレイなどの載置部に載せられる。特許文献１の技術ではシートに形成される画像だけが表示されているが、それに比べて、画像が形成されて載置部に載ったシートの外観を表す画像が表示されると、表示された画像がシートに形成されるものであることを理解しやすくなるし、合わせてシートに形成されている画像を把握することができる。
【０００５】
しかし、例えばシートの裏面だけに画像が形成される場合、載置部に載ったシートの表面は白紙となっているため、前述した載置部に載ったシートの外観を表す画像も白紙の画像となり、シートに形成されている画像が把握できない。また、載置部に載ったときにユーザから見て上下が逆さまになる画像が形成されると、前述の外観を表す画像においてもシートに形成された画像の上下が逆さまになるため、上下が正しく表示される場合に比べて、シートに形成されている画像を把握しづらい。
そこで、本発明は、シートの外観を表す画像を表示させつつ、そのシートに形成される画像をユーザが把握しやすいようにすることを目的とする。
【課題を解決するための手段】
【０００６】
本発明の請求項１に係る情報処理装置は、搬送されて載置部に載ったシートに形成されている画像の前記載置部に対する向きを取得する取得部と、前記画像が形成されて前記載置部に載ったシートを前記載置部に対して特定の方向から見た外観を表す第１画像を表示部に表示させる制御を行い、当該画像について決められた前記向きが取得された場合は当該方向から見た外観は表さず当該方向とは異なる方向から見た当該シートの外観を表す第２画像を表示させる表示制御部とを備えることを特徴とする。
【０００７】
本発明の請求項２に係る情報処理装置は、請求項１に記載の構成において、前記表示制御部は、前記シートの片面に前記画像が形成され、且つ、当該画像が前記載置部を向く向きが前記取得部により取得された場合は、前記載置部側から見た当該シートの外観を表す画像を前記第２画像として表示させることを特徴とする。
【０００８】
本発明の請求項３に係る情報処理装置は、請求項１又は２に記載の構成において、前記表示制御部は、前記シートの両面に前記画像が形成される場合は、前記載置部とは反対側から当該シートを見る方向を前記特定の方向として前記第１画像を表示させ、前記載置部側から見た当該シートの外観を表す画像は表示させないことを特徴とする。
【０００９】
本発明の請求項４に係る情報処理装置は、請求項１から３のいずれか１項に記載の構成において、前記画像は上下が決まっており、前記載置部はユーザにとっての手前側と奥側が決まっており、前記表示制御部は、前記表示部の表示面の上側が前記奥側となり、当該表示面の下側が前記手前側となる方向を前記特定の方向として前記第１画像を表示させ、前記シートに形成される画像の上部が前記手前側に向く向きが前記取得部により取得された場合は、当該上部が前記表示面の上側になる方向から見た前記シートの外観を表す画像を前記第２画像として表示させることを特徴とする。
【００１０】
本発明の請求項５に係る情報処理装置は、請求項１から４のいずれか１項に記載の構成において、前記画像は上下が決まっており、前記載置部はユーザにとっての手前側と奥側が決まっており、前記表示制御部は、前記表示部の表示面の上側が前記奥側となり、当該表示面の下側が前記手前側となる方向を前記特定の方向として前記第１画像を表示させ、前記載置部に前記シートが搬出される搬出方向の上流側に前記画像の上部が向く向きが前記取得部により取得された場合は、前記表示面の上側が前記手前側となる方向から見た前記シートの外観を表す画像を前記第２画像として表示させることを特徴とする。
【００１１】
本発明の請求項６に係る情報処理装置は、請求項１から５のいずれか１項に記載の構成において、前記表示制御部は、前記第２画像を表示させた場合、当該第２画像が表すシートの外観から前記第１画像が表すシートの外観に移り変わるアニメーションを表示させることを特徴とする。
【００１２】
本発明の請求項７に係るプログラムは、コンピュータを、搬送されて載置部に載ったシートに形成されている画像の前記載置部に対する向きを取得する取得部と、前記画像が形成されて前記載置部に載ったシートを前記載置部に対して特定の方向から見た外観を表す第１画像を表示部に表示させる制御を行い、当該画像について決められた前記向きが取得された場合は当該方向から見た外観は表さず当該方向とは異なる方向から見た当該シートの外観を表す第２画像を表示させる表示制御部として機能させることを特徴とする。
【発明の効果】
【００１３】
請求項１、７に係る発明によれば、シートの外観を表す画像を表示させつつ、そのシートに形成される画像をユーザが把握しやすいようにすることができる。
請求項２に係る発明によれば、シートの裏面だけに画像が形成される場合に、その画像をユーザに把握させることができる。
請求項３に係る発明によれば、シートの両面に画像が形成される場合に、画像が形成されるシート数をユーザに把握させることができる。
請求項４に係る発明によれば、上下逆さの画像が形成されたシートの外観を表す第１画像を表示する場合に比べて、その画像をユーザが把握しやすいようにすることができる。
請求項５に係る発明によれば、搬出方向の上流側に画像の上部が向く向きが取得された場合に第１画像を表示させる場合に比べて、シートに形成される画像をユーザが把握しやすいようにすることができる。
請求項６に係る発明によれば、第２画像を表示した場合でも実際に載置部に載っているシートの外観を伝えることができる。
【図面の簡単な説明】
【００１４】
【図１】第１実施例に係る画像形成システムの全体構成を表す図
【図２】シート供給装置、画像形成装置及び後処理装置のハードウェア構成を表す図
【図３】後処理装置の構造を表す図
【図４】外部蓄積部を拡大して表す図
【図５】内部蓄積部を拡大して表す図
【図６】ＵＩ装置のハードウェア構成を表す図
【図７】表示されるシート画像の一例を表す図
【図８】ＵＩ装置の機能構成を表す図
【図９】第１方向及び第２方向の一例を表す図
【図１０】片面印刷におけるシート画像と実際のシートの外観の関係を表す図
【図１１】両面印刷におけるシート画像と実際のシートの外観の関係を表す図
【図１２】シート画像を表示させる処理における動作手順の一例を表す図
【図１３】第２実施例の画像の向きを説明するための図である図
【図１４】実施例で表示される第２シート画像の一例を表す図
【図１５】変形例の画像の向きを説明するための図である図
【図１６】変形例の画像の向きを説明するための図である図
【図１７】変形例の別の第２の方向を説明するための図である図
【図１８】シートの外観が移り変わるアニメーションの一例を表す図
【図１９】変形例のシート画像の一例を表す図
【図２０】変形例のアニメーションの一例を表す図
【図２１】変形例のシート画像の一例を表す図
【図２２】変形例のシート画像の一例を表す図
【発明を実施するための形態】
【００１５】
［１］第１実施例
図１は第１実施例に係る画像形成システム１の外観を表す。図１（ａ）では水平方向に見た画像形成システム１が表され、図１（ｂ）では鉛直上方から見た画像形成システム１が表されている。画像形成システム１は、大量のシートに高速で画像を形成するシステムである。画像形成システム１は、シート供給装置１０と、画像形成装置２０と、後処理装置３０と、ＵＩ（User Interface）装置４０とを備える。これらの装置は図示せぬ通信回線によって接続されており、その通信回線を介してデータのやり取りを行う。
【００１６】
シート供給装置１０は、Ａ４の用紙などのシートを収容し、画像形成装置２０に供給する。シート供給装置１０は、開閉扉１１を有し、ユーザは開閉扉１１を開けてシートをセットする。画像形成装置２０は、シート供給装置１０から供給されたシートに画像を形成し、そのシートを後処理装置３０に向けて搬出する。
【００１７】
後処理装置３０は、画像形成装置２０から搬出されてきたシートにソートやステープルなどの後処理を施す装置であり、後処理を施したシート（後処理は必須でないため、後処理を施していないシートの場合もある）を蓄積する。後処理装置３０は、開閉扉３１を有し、ユーザは開閉扉３１を開けて内部に蓄積されたシートを取り出す。また、後処理装置３０は、シートを自装置の外部に蓄積する外部蓄積部３２を有する。
【００１８】
外部蓄積部３２には、シートＰ１が搬出方向Ａ１に搬出されてきて蓄積される。画像形成システム１においては、外部蓄積部３２における搬出方向Ａ１が、画像形成装置２０から後処理装置３０に向かう方向になっている。外部蓄積部３２に蓄積されたシートＰ１の面のうち、蓄積された状態でユーザから見える方の面を表面といい、ユーザから見えない方の面を裏面という。
【００１９】
ＵＩ装置４０は、画像を表示する表示面を有する筐体２及びユーザの操作を受け付ける操作子３を有し、画像形成システム１を利用するユーザのユーザインターフェースとして用いられる。画像形成システム１においては、これを利用するユーザにとっての手前側と奥側が決まっており、本実施例では開閉扉１１及び３１が設けられている方が手前側と決まっている。ＵＩ装置４０は、画像形成システム１の手前側に立ったユーザが利用するように、筐体２が有する表示面を手前側に向け、筐体２よりも操作子３が手前側になるようにして設置されている。
【００２０】
図２はシート供給装置１０、画像形成装置２０及び後処理装置３０のハードウェア構成を表す。シート供給装置１０は、シート収容部１２と、シート搬送部１３とを備える。シート収容部１２は、シートを収容するいわゆるトレイである。シート搬送部１３は、ローラを有し、シート収容部１２に収容されているシートを画像形成装置２０に向けて搬送する。
【００２１】
画像形成装置２０は、コントローラ２１と、画像形成部２２とを備える。コントローラ２１は、例えば図示せぬ外部装置から送信されてきた画像データを画像形成部２２が処理する形式に変換し、その画像データが表す画像のシートへの形成を画像形成部２２に指示する。また、コントローラ２１は、シートに画像を形成する際の各種の設定を反映させるように画像形成部２２に指示する。
【００２２】
コントローラ２１は、例えば、両面印刷の設定に基づいて、シートの両面に画像を形成するか片面に形成するか（両面印刷か片面印刷か）を指示する。また、コントローラ２１は、画像を形成する面（画像形成面）の設定に基づいて、表面と裏面のどちらに画像を形成するかを指示する。コントローラ２１は、例えば片面印刷が設定されている場合、表面及び裏面のどちらに画像を形成するかを指示する。また、コントローラ２１は、両面印刷が設定されている場合、先に形成する方の画像（例えば文書の画像であれば頁数が小さい方の画像）を表面及び裏面のどちらに形成するかを指示する。片面印刷の画像又は両面印刷で先に形成される画像を表面に形成することをフェイスアップといい、それらの画像を裏面に形成することをフェイスダウンという。
【００２３】
画像形成部２２は、シート供給装置１０から搬送されてきたシートに、コントローラ２１から指示された画像を指示された設定（両面か片面か。片面の場合に表面か裏面か）を反映して形成する。画像形成部２２は、シート搬送部２３を備える。シート搬送部２３は、画像が形成されたシートを後処理装置３０に向けて搬送する。
【００２４】
後処理装置３０は、シート搬送部３３と、シート蓄積部３４とを備える。シート搬送部３３は、画像形成装置２０から搬送されてきたシートをシート蓄積部３４まで搬送する。シート蓄積部３４は、シート搬送部３３によって搬送されてきたシートを積み重ねて蓄積する。シート蓄積部３４は、図１に表す外部蓄積部３２と、内部蓄積部３５とを有する。内部蓄積部３５は、自装置の内部でシートを蓄積する。
【００２５】
図３は後処理装置３０の構造を表す。図３では、図１に表す手前側から見た後処理装置３０が表されている。後処理装置３０のシート搬送部３３は、外部蓄積部３２にシートＰ１を搬送する搬送路と、内部蓄積部３５にシートＰ１を搬送する搬送路とを形成する。図３では、外部蓄積部３２に積み重ねて蓄積されたシート群Ｐ１０と、内部蓄積部３５に積み重ねて蓄積されたシート群Ｐ２０とが表されている。シート群Ｐ１０は各々の面が水平方向Ａ２に対して斜めに傾いた状態で蓄積され、シート群Ｐ２０は各々の面が水平方向Ａ２に沿った状態で蓄積される。
【００２６】
図４は外部蓄積部３２を拡大して表す。図４（ａ）には、外部蓄積部３２のうちシートが載せられる部分である載置部３２１が表されている。図４（ｂ）には、載置部３２１にシートＰ１、Ｐ２、Ｐ３が載った状態が表されている。シートＰ１は、ユーザから見える方の面である表面Ｂ１１と、ユーザから見えない方の面である裏面Ｂ２１とを有する。この表面Ｂ１１は、シートＰ１が有する面のうち載置部３２１とは反対側を向いた方の面でもある。また、裏面Ｂ２１は、シートＰ１が有する面のうち載置部３２１を向いた方の面でもある。
【００２７】
同様に、シートＰ２は表面Ｂ１２及び裏面Ｂ２２を有し、シートＰ３は表面Ｂ１３及び裏面Ｂ２３を有する。図４（ｂ）の状態ではシートＰ１が積み重なっているためユーザから見えなくなっているが、それぞれが一番上に積み重なっているときには表面がユーザから見える面となっている。また、表面Ｂ１２及びＢ１３は、表面Ｂ１１と同様に載置部３２１とは反対側を向いた面であり、裏面Ｂ２２及びＢ２３は、裏面Ｂ２１と同様に載置部３２１を向いた面である。
【００２８】
図５は内部蓄積部３５を拡大して表す。図５（ａ）には、内部蓄積部３５のうちシートが載せられる部分である載置部３５１が表されている。図５（ｂ）には載置部３５１にシートＰ４、Ｐ５、Ｐ６が載った状態が表されている。これらのシートＰ４、Ｐ５、Ｐ６も、載置部３５１とは反対側を向いた表面Ｂ１４、Ｂ１５、Ｂ１６をそれぞれ有し、載置部３５１を向いた裏面Ｂ２４、Ｂ２５、Ｂ２６をそれぞれ有する。以下では載置部３２１及び３５１を区別しない場合には載置部３０１というものとする。
【００２９】
図６はＵＩ装置４０のハードウェア構成を表す。ＵＩ装置４０は、ＣＰＵ（Central Processing Unit）４１と、ＲＡＭ（Random Access Memory）４２と、ＲＯＭ（Read Only Memory）４３と、ＨＤＤ（Hard Disk Drive）４４と、Ｉ／Ｆ（Interface）４５と、ＮＩＣ（Network Interface Card）４６と、ＵＩ部４７とを備えるコンピュータである。ＣＰＵ４１が、ＲＡＭ４２をワークエリアとして用いてＲＯＭ４３やＨＤＤ４４に記憶されているプログラムを実行することによって各部の動作を制御する。
【００３０】
ＨＤＤ４４は、ＣＰＵ４１が制御に用いるデータやプログラムを記憶している。Ｉ／Ｆ４５は、シート供給装置１０、画像形成装置２０及び後処理装置３０とデータをやり取りする際のインターフェースである。ＮＩＣ４６は、通信回路を有し、図示せぬ通信回線を介して外部装置と通信を行う。ＵＩ部４７は、ディスプレイと、キーボードやディスプレイの表示面に重ねられたタッチパネルなどの操作子を備え、画像の表示とユーザの操作の受け付けとを行う。ＵＩ部４７は本発明の「表示部」の一例である。
【００３１】
ＵＩ装置４０は、シートに画像が形成されているときに、その画像が形成されたシートを表すシート画像をＵＩ部４７に表示する。
図７は表示されるシート画像の一例を表す。図７（ａ）では、１２ページの画像のうち９ページ目の画像Ｇ９が形成されたシートを表すシート画像Ｃ９がＵＩ部４７の表示面４７１に表示されている。シート画像Ｃ９は表示面４７１の左側に表示され、表示面４７１の右側には７ページ目の画像Ｇ７が形成されたシートを表すシート画像Ｃ７及びその上に重ねられた８ページ目の画像Ｇ８が形成されたシートを表すシート画像Ｃ８が表示されている。
【００３２】
シート画像Ｃ９は、図中の矢印Ａ３の方向に移動して、図７（ｂ）に表すように、シート画像Ｃ８の上に重ねられて表示される。ＵＩ装置４０は、このように、シート蓄積部３４の載置部３０１に画像が形成されたシートが積み重ねられていく様子を表示する。ＵＩ装置４０のＣＰＵ４１がプログラムを実行することで、図７に表すようなシート画像を表示するための機能が実現される。
【００３３】
図８はＵＩ装置４０の機能構成を表す。ＵＩ装置４０は、画像取得部４０１と、画像向き取得部４０２と、両面・片面設定取得部４０３と、シート画像表示制御部４０４とを備える。
【００３４】
画像取得部４０１は、載置部３０１に載せられるシートに形成される画像を取得する。例えば、図２に表すコントローラ２１は、画像形成部２２にシートに形成するよう指示した画像を表す画像データを、その画像を識別するための識別情報（例えば画像のファイル名など）を付加してＵＩ装置４０に送信する。送信されてきた画像データは画像取得部４０１に供給され、画像取得部４０１は、供給された画像データが表す画像を、シートに形成される画像として取得する。画像取得部４０１は、取得した画像及びその画像を識別する識別情報をシート画像表示制御部４０４に供給し、その識別情報を画像向き取得部４０２及び両面・片面設定取得部４０３に供給する。
【００３５】
画像向き取得部４０２は、シート搬送部３３により搬送されて載置部３０１に載ったシートに形成されている画像の載置部３０１に対する向きを取得する。画像向き取得部４０２は本発明の「取得部」の一例である。画像向き取得部４０２は、本実施例では、シートに形成されている画像が載置部３０１を向く向きと、載置部３０１とは反対側を向く向きとのいずれかの向きを取得する。前者の向きは表面に形成された画像の向きであり、以下では「表向き」という。後者の向きは裏面に形成された画像の向きであり、以下では「裏向き」という。
【００３６】
画像向き取得部４０２は、画像取得部４０１から供給された識別情報により識別される画像についての上述した画像形成面の設定を図２に表すコントローラ２１に要求し、その要求に応答して送信されてくる画像形成面の設定を取得する。画像向き取得部４０２は、例えば片面に画像が形成される場合に取得した画像形成面の設定がフェイスアップ（表面に画像を形成する設定）であれば、「表向き」という向きを取得し、フェイスダウン（裏面に画像を形成する設定）であれば、「裏向き」という向きを取得する。
【００３７】
また、画像向き取得部４０２は、両面に画像が形成される場合に取得した画像形成面の設定がフェイスアップ（先に形成される画像Ａを表面に形成する設定）であれば、画像Ａの向きとして「表向き」を取得し、画像形成面の設定がフェイスダウン（先に形成される画像Ａを裏面に形成する設定）であれば、画像Ａの向きとして「裏向き」を取得する。画像向き取得部４０２は、取得した画像の向きをその画像の識別情報に対応付けてシート画像表示制御部４０４に供給する。
【００３８】
両面・片面設定取得部４０３は、画像がシートの両面又は片面のいずれに形成されているかを表す設定を取得する。両面・片面設定取得部４０３は、画像取得部４０１から供給された識別情報により識別される画像についての両面印刷の設定をコントローラ２１に要求する。両面・片面設定取得部４０３は、その要求に応答して送信されてくる両面印刷の設定（両面印刷又は片面印刷のいずれか）を取得して、この設定の取得に用いた識別情報に対応付けてシート画像表示制御部４０４に供給する。
【００３９】
シート画像表示制御部４０４は、画像が形成されたシートの外観を表すシート画像をＵＩ部４７に表示させる制御を行う。シート画像表示制御部４０４は本発明の「表示制御部」の一例である。シート画像表示制御部４０４は、画像取得部４０１から供給された画像を用いて、図７に表すシート画像Ｃ８やＣ９のようなシート画像を表示させる。シート画像表示制御部４０４は、例えば９ページ目の画像がシートに形成されたタイミングで図７（ａ）に表すシート画像Ｃ９を表示させ、そのシートが搬出されたタイミングでシート画像Ｃ９がシート画像Ｃ８に重なって図７（ｂ）の状態になるように表示を制御する。
【００４０】
シート画像表示制御部４０４は、次の２通りのシート画像を表示させる。シート画像表示制御部４０４は、画像が形成されて載置部３０１に載ったシートを載置部３０１に対して特定の方向から見た外観を表すシート画像（これを「第１シート画像」という）を表示させる。また、シート画像表示制御部４０４は、このシートを載置部３０１に対して特定の方向とは異なる方向から見た外観を表すシート画像（これを「第２シート画像」という）を表示させる。第１シート画像は本発明の「第１画像」の一例であり、第２シート画像は本発明の「第２画像」の一例である。以下では、載置部３０１に対する特定の方向のことを「第１方向」といい、載置部３０１に対して第１方向とは異なる方向のことを「第２方向」という。
【００４１】
図９は第１方向及び第２方向の一例を表す。図９（ａ）では、載置部３２１にシートＰ１が載った場合における第１方向Ａ１１及び第２方向Ａ１２が表されている。載置部３２１は平面であり、第１方向Ａ１１は、載置部３２１の法線Ｌ３２１に沿って載置部３２１が向いている方向であり、第２方向Ａ１２は、法線Ｌ３２１に沿って載置部３２１に向かう方向である。
【００４２】
図９（ｂ）では、載置部３５１にシートＰ１が載った場合における第１方向Ａ２１及び第２方向Ａ２２が表されている。載置部３５１は平面であり、第１方向Ａ２１は、載置部３５１の法線Ｌ３５１に沿って載置部３５１が向いている方向であり、第２方向Ａ２２は、法線Ｌ３５１に沿って載置部３５１が向かう方向である。このように、本実施例では、第１方向（特定の方向）から見たシートの外観とは、表面側から見たシートの外観であり、第２方向（特定の方向とは異なる方向）から見たシートの外観とは、裏面側から見たシートの外観である。
【００４３】
シート画像表示制御部４０４は、第１シート画像及び第２シート画像のいずれを表示させるかについては、シートに形成された画像の識別情報に対応付けて画像向き取得部４０２から供給された画像の向きと、その識別情報に対応付けて両面・片面設定取得部４０３から供給された両面印刷の設定に基づいて判断する。
【００４４】
シート画像表示制御部４０４は、画像について決められた向きが取得された場合は第２シート画像を表示させ、それ以外の向きが取得された場合は第１シート画像を表示させる。シート画像表示制御部４０４は、例えばシートの片面に画像が形成される場合には、画像が載置部３０１を向く向き、すなわち裏向きを決められた向きとして用いる。
【００４５】
具体的には、シート画像表示制御部４０４は、シートの片面に画像が形成され、且つ、裏向きが取得された場合は、第２方向から見たシートの外観（つまり裏面側から見たシートの外観）を表す画像を第２シート画像として表示させる。また、シート画像表示制御部４０４は、シートの片面に画像が形成され、且つ、表向きが取得された場合は、第１方向から見たシートの外観（つまり表面側から見たシートの外観）を表す画像を第１シート画像として表示させる。
【００４６】
図１０は片面印刷におけるシート画像と実際のシートの外観の関係を表す。図１０（ａ）では、片面印刷の設定でシートＰ１の表面Ｂ１１に画像Ａが形成される（つまりフェイスアップが設定されている）場合に、シートＰ１を第１方向から見た外観を表すシート画像Ｃ１が第１シート画像として表示されている。この場合に載置部３０１に載ったシートＰ１の実際の外観は、シート画像Ｃ１と同様に表面Ｂ１１に画像Ａが形成された外観となっている。
【００４７】
図１０（ｂ）では、片面印刷の設定でシートＰ１の裏面Ｂ２１に画像Ａが形成される（つまりフェイスダウンが設定されている）場合に、シートＰ１を第２方向から見た外観を表すシート画像Ｃ２が第２シート画像として表示されている。この場合に載置部３０１に載ったシートＰ１の実際の外観は、シート画像Ｃ２とは異なり表面Ｂ１１が白紙の外観となっている。
【００４８】
また、シート画像表示制御部４０４は、シートの両面に画像が形成される場合には、決められた向きを用いない。この場合、シート画像表示制御部４０４は、載置部３０１とは反対側からシートを見る方向を特定の方向として第１シート画像を表示させ、載置部３０１側から見たシートの外観を表す画像は表示させない。
【００４９】
図１１は両面印刷におけるシート画像と実際のシートの外観の関係を表す。図１１では、最初に形成される画像Ａと、それ以降順番に形成される画像Ｂ、Ｃ、Ｄとが表されている。図１１（ａ）では、両面印刷及びフェイスアップの設定でシートＰ１の表面Ｂ１１に画像Ａが形成され、裏面Ｂ２１に画像Ｂが形成される場合に、シートＰ１を第１方向から見た外観を表すシート画像Ｃ３が第１シート画像として表示されている。この場合に載置部３０１に載ったシートＰ１の実際の外観は、シート画像Ｃ３と同様に表面Ｂ１１に画像Ａが形成された外観となっている。
【００５０】
画像Ａ、Ｂが形成された後、シートＰ２の表面Ｂ１２に画像Ｃが形成され、裏面Ｂ２２に画像Ｄが形成される場合、図１１（ｂ）に表すように、シートＰ２を第１方向から見た外観を表すシート画像Ｃ４が第１シート画像として表示される。この場合に載置部３０１に載ったシートＰ２の実際の外観は、シート画像Ｃ４と同様に表面Ｂ１２に画像Ｃが形成された外観となっている。また、シート画像表示制御部４０４は、シート画像Ｃ３の後にシート画像Ｃ４を表示させる一方、画像Ｂ及びＤが形成されたシートを表すシート画像を表示させない。
【００５１】
図１２はシート画像を表示させる処理における動作手順の一例を表す。この動作手順は、シートへの画像形成が開始されることを契機に開始される。ＵＩ装置４０（画像取得部４０１）は、まず、シートに形成される画像を取得する（ステップＳ１１）。次に、ＵＩ装置４０（画像向き取得部４０２）は、シートに形成される画像の載置部３０１に対する向きを取得する（ステップＳ１２）。次に、ＵＩ装置４０（両面・片面設定取得部４０３）は、両面印刷の設定を取得する（ステップＳ１３）。
【００５２】
続いて、ＵＩ装置４０（シート画像表示制御部４０４）は、片面印刷の設定が取得されたか否かを判断し（ステップＳ１４）、取得された（ＹＥＳ）と判断した場合には次に画像の向きとして裏向き（載置部３０１を向く向き）が取得されたか否かを判断する（ステップＳ１５）。ＵＩ装置４０（シート画像表示制御部４０４）は、ステップＳ１５で裏向きが取得された（ＹＥＳ）と判断した場合には、図１０（ｂ）に表すような第２シート画像を表示する（ステップＳ１６）。
【００５３】
ＵＩ装置４０（シート画像表示制御部４０４）は、ステップＳ１４で片面印刷の設定が取得されていない（ＮＯ）と判断した場合と、ステップＳ１５で裏向きが取得されていない（ＮＯ）と判断した場合には、図１０（ａ）に表すような第１シート画像を表示する。ＵＩ装置４０は、ステップＳ１６及びＳ１７の次に、画像形成システム１における画像形成が終了したか否かを判断し（ステップＳ１８）、終了していない（ＮＯ）と判断した場合にはステップＳ１１に戻って動作を続け、終了した（ＹＥＳ）と判断した場合にはこの動作手順を終了する。
【００５４】
本実施例では、図１０、図１１で説明したように画像が形成されたシートの外観を表すシート画像を表示させることで、シートに形成される画像だけを表示させる場合に比べて、表示された画像がシートに形成されるものであることを理解しやすくなっている。また、片面印刷且つフェイスダウンの設定がされた場合には第２方向から見たシートの外観を表す画像を表示させることで、白紙のシート画像を表示しないようにして、シートに形成される画像がユーザに把握されるようにしている。
【００５５】
言い換えると、シートの裏面だけに画像が形成される場合でも、その画像がユーザに把握させるようにしている。また、シートの両面に画像が形成される場合に、シート画像をシートの両面について表示させると、画像が形成されるシート数に対して表示されるシート画像の数が多くなる。本実施例では、この場合にシートを裏面から見た外観を表す画像は表示させないので、シート画像の数とシートの数が一致して、画像が形成されるシートの数がユーザに把握させるようになっている。
【００５６】
［２］第２実施例
本発明の第２実施例について、以下、第１実施例と異なる点を中心に説明する。第１実施例では、画像の向きとして表向き及び裏向きが取得されたが、第２実施例では、シートに形成される画像の上下が決まっている場合に、画像の上部が向く向きが画像の向きとして取得される。
【００５７】
図１３は第２実施例の画像の向きを説明するための図である。図１３（ａ）では、風景が写った写真の画像Ｇ１１が表されている。画像Ｇ１１においては、通常、空が写っている方が上部、地面が写っている方が下部と決まっている。図１３（ｂ）では、画像Ｇ１１が形成されたシートＰ１１が搬出方向Ａ１に搬出されて外部蓄積部３２の載置部３２１に載ったところが表されている。載置部３２１は図中に示すとおりユーザにとっての手前側と奥側が決まっている。図１３（ｂ）では、画像Ｇ１１の上部が載置部３２１の奥側に向く向きでシートＰ１１が載置部３２１に載っている。
【００５８】
シート画像表示制御部４０４は、ＵＩ部４７の表示面４７１の上側が載置部３２１の奥側となり、表示面４７１の下側が載置部３２１の手前側となる方向を第１方向として第１シート画像を表示させる。図１３（ｂ）では、シートＰ１１が搬出される搬出方向Ａ１に沿った方向をＸ軸方向、載置部３２１の手前側から奥側に向かう方向をＹ軸方向、鉛直上方に向かう方向をＺ軸方向と表している。
【００５９】
図１３（ｃ）では、Ｘ軸方向から見た後処理装置３０と、後処理装置３０の載置部３２１を第１方向から見るユーザＵ１１とが表されている。ユーザＵ１１は、Ｙ軸方向に頭上を向けてＺ軸方向とは反対の方向（鉛直下向きの方向）Ａ１１を向いている。シート画像表示制御部４０４は、図１３（ａ）、（ｂ）の例において第１シート画像を表示させる場合、ユーザＵ１１が見たシートＰ１１の外観を表す画像を第１シート画像として表示させる。このように、本実施例においては、第１方向から見たシートの外観とは、シートの特定の辺（図１３の例では載置部３２１に載ったときに奥側に来る辺）を上（シートを見る人にとっての頭上側）にして見たときの外観を意味する。
【００６０】
シート画像表示制御部４０４は、具体的には、画像Ｇ１１のうち載置部３２１の奥側に向いている方、すなわち画像Ｇ１１の上部を表示面４７１の上側に向けて表示させ、画像Ｇ１１のうち載置部３２１の手前側に向いている方、すなわち画像Ｇ１１の下部を表示面４７１の下側に向けて表示させる。図１３（ｄ）には、そのようにして表示されたシートＰ１１のシート画像Ｃ１１が表示面４７１に表されている。これはつまり、シート画像表示制御部４０４は、画像の上下を元の画像のデータのとおりに表して表示面４７１に表示させていることになる。シート画像Ｃ１１は、画像形成システム１を利用するユーザが載置部３２１の手前側から見たシートの外観を表すことになる。
【００６１】
第２実施例では、画像形成装置２０のコントローラ２１が、画像の上下を元の画像のデータのとおりにしてシートに形成する通常モードと、画像の上下を反転させてシートに形成する上下反転モードとで画像形成を制御する。画像向き取得部４０２は、コントローラ２１に上記モードの設定を要求し、通常モードの設定が送信されてきたら、シートに形成される画像の上部が載置部３２１の奥側に向く向き（以下「奥向き」という）を取得し、上下反転モードの設定が送信されてきたら、シートに形成される画像の上部が載置部３２１の手前側に向く向き（以下「手前向き」という）を取得する。
【００６２】
シート画像表示制御部４０４は、前述した「奥向き」が取得された場合には、前述した第１方向から見たシートＰ１１の外観を表す画像を第１シート画像として表示させる。一方、シート画像表示制御部４０４は、前述した「手前向き」が取得された場合には、画像の上部が表示面４７１の上側になる方向（この場合の第２方向）から見たシートＰ１１の外観を表す画像を第２シート画像として表示させる。
【００６３】
図１４は本実施例で表示される第２シート画像の一例を表す。図１４（ａ）では、画像Ｇ１１が形成されたシートＰ１２が、画像Ｇ１１の上部を載置部３２１の手前側に向けて載置部３２１に載った状態が表されている。図１４（ｂ）では、Ｘ軸方向から見た後処理装置３０と、後処理装置３０の載置部３２１を第２方向から見るユーザＵ１２とが表されている。ユーザＵ１２は、図１３（ｃ）に表すユーザＵ１１とは異なり、Ｙ軸方向の反対向きに頭上を向けてＺ軸方向とは反対の方向（鉛直下向きの方向）Ａ１２を向いている。
【００６４】
シート画像表示制御部４０４は、図１４（ａ）の例において第２シート画像を表示させる場合、ユーザＵ１２が見たシートＰ１２の外観を表す画像を第２シート画像として表示させる。このように、本実施例においては、第２方向から見たシートの外観も、前述した第１方向から見たシートの外観と同様に、シートの特定の辺（図１４の例では載置部３２１に載ったときに手前側に来る辺）を上にして見たときの外観を意味する。シート画像表示制御部４０４は、具体的には、画像Ｇ１１のうち載置部３２１の手前側に向いている方、すなわち画像Ｇ１１の上部を表示面４７１の上側に向けて表示させ、画像Ｇ１１のうち載置部３２１の奥側に向いている方、すなわち画像Ｇ１１の下部を表示面４７１の下側に向けて表示させる。これは図１３の例で第１シート画像を表示させる場合と同じである。
【００６５】
つまり、シート画像表示制御部４０４は、図１４（ｃ）に表すように、画像Ｇ１１の上下を元の画像のデータのとおりに表したシート画像Ｃ１２を第２シート画像として表示面４７１に表示させる。もし「手前向き」が取得された場合に第１方向から見たシートの外観を表す画像（第１シート画像）を表示させると、表示面４７１に上下逆さの風景が写った写真の画像が表示されることになる。本実施例では「手前向き」が取得された場合に図１４（ｂ）で述べた第２方向から見た第２シート画像を表示させることにより、その場合に第１シート画像を表示する場合に比べてシートに形成された画像をユーザが把握しやくなる。
【００６６】
［３］変形例
上述した各実施例はそれぞれが本発明の実施の一例に過ぎず、以下のように変形させてもよい。また、各実施例及び各変形例は必要に応じて組み合わせて実施してもよい。
【００６７】
［３−１］画像の向きの取得方法
第２実施例において、別の方法で画像の向きを取得してもよい。例えば、画像形成装置２０のコントローラ２１が、シートに対する画像の向き（縦向き及び横向き）と、長方形のシートの短辺と長辺のどちらを先端として搬送させるかという２つの設定を行って画像を形成させるものとする。シートの短辺を先端にすることをＳＥＦ（Short Edge Feed）といい、シートの長辺を先端にすることをＬＥＦ（Long Edge Feed）という。
【００６８】
図１５は本変形例の画像の向きを説明するための図である。縦向き且つＳＥＦの場合は、図１５（ａ）に表すように、シートＰ１３に形成された画像Ｇ１１の上部が図１に表す搬出方向Ａ１の下流側に向くことになる。また、横向き且つＬＥＦの場合も、シートは横向きになるが、画像の上部が搬出方向Ａ１の下流側に向くという点では共通する。一方、縦向き且つＬＥＦの場合と横向き且つＳＥＦの場合は、画像のＧ１１の上部が載置部３２１の手前側に向く向きで画像が形成される。
【００６９】
画像向き取得部４０２は、コントローラ２１に上記２つの設定を要求し、縦向き・ＳＥＦという設定又は横向き・ＬＥＦという設定が送信されてきたら、シートに形成される画像の上部が搬出方向Ａ１の下流側に向く向き（以下「搬出方向Ａ１の下流向き」という）を取得し、縦向き・ＬＥＦという設定又は横向き・ＳＥＦという設定が送信されてきたら、上述した手前向き（シートに形成される画像の上部が載置部３２１の手前側に向く向き）を取得する。
【００７０】
なお、シート画像表示制御部４０４は、搬出方向Ａ１の下流向きが取得された場合には、例えば第１方向から見たシートＰ１３の外観を表すシート画像を第１シート画像として表示させる。図１５（ｂ）には、そうして表示されたシート画像Ｃ１３が表されている。シート画像Ｃ１３が表すシートに形成されている画像の上部は、ＵＩ部４７の表示面４７１の右側及び左側のうち、搬出方向Ａ１の下流側に対応する方（この例では右側）に向き、その画像の下部は、表示面４７１の右側及び左側のうち搬出方向Ａ１の上流側に対応する方（この例では左側）に向いている。
【００７１】
［３−２］搬出方向に沿った向き
画像の上部が搬出方向Ａ１の上流側に向くように画像形成が行われる場合がある。
図１６は本変形例の画像の向きを説明するための図である。図１６（ａ）では、図１３に表す画像Ｇ１１が形成されたシートＰ１１が外部蓄積部３２の載置部３２１に載ったときに、画像Ｇ１１の上部が搬出方向Ａ１の下流側に向いている状態が表されている。この場合、画像向き取得部４０２は、シートに形成される画像の上部が搬出方向Ａ１の上流側に向く向き（以下「搬出方向Ａ１の上流向き」という）を取得する。
【００７２】
シート画像表示制御部４０４は、画像の向きとして搬出方向Ａ１の上流向きが取得された場合には、例えば、ＵＩ部４７の表示面４７１の上側が載置部３２１の手前側となる方向から見たシートの外観を表す画像を第２シート画像として表示させる。シート画像表示制御部４０４は、図１６（ａ）の例において第２シート画像を表示させる場合、図１４（ｂ）に表すユーザＵ１２が見たシートＰ１４の外観（この場合の第２方向から見たシートＰ１４の外観）を表す画像を第２シート画像として表示させる。
【００７３】
図１６（ｂ）では、こうしてＵＩ部４７の表示面４７１に表示された第２シート画像であるシート画像Ｃ１４が表されている。つまり、シート画像表示制御部４０４は、画像Ｇ１１のうち搬出方向Ａ１の上流側に向いている方、すなわち画像Ｇ１１の上部を表示面４７１の右側に向けて表示させ、画像Ｇ１１のうち搬出方向Ａ１の下流側に向いている方、すなわち画像Ｇ１１の下部を表示面４７１の左側に向けて表示させる。これは図１５の例で第１シート画像を表示させる場合と同じである。
【００７４】
このように、図１６の例では、第１シート画像が表示される場合と第２シート画像が表示される場合とでシートに形成される画像の上下の向きが共通になる。これに対し、搬出方向Ａ１の下流向きが取得された場合にも第１シート画像を表示させると、搬出方向Ａ１の上流向きが取得された場合と下流向きが取得された場合とで画像の上下の向きが反対になってしまう。その場合に比べると、本変形例においては、画像の向きが共通になるため、シートに形成される画像をユーザが把握しやすい。
【００７５】
なお、搬出方向Ａ１の上流向きが取得された場合に、シート画像表示制御部４０４は、画像Ｇ１１の上部が表示面４７１の上側になる方向から見たシートＰ１４の外観を表す画像を第２シート画像として表示させてもよい。
図１７は本変形例の別の第２の方向を説明するための図である。図１７（ａ）では、Ｙ軸方向から見た後処理装置３０と、後処理装置３０の載置部３２１を第２方向から見るユーザＵ１５とが表されている。ユーザＵ１５は、Ｘ軸方向の反対向きに頭上を向けてＺ軸方向とは反対の方向Ａ１５を向いている。
【００７６】
シート画像表示制御部４０４は、図１６（ａ）の例において第２シート画像を表示させる場合、図１７（ｂ）に表すユーザＵ１５が見たシートＰ１４の外観（この場合の第２方向から見たシートＰ１４の外観）を表す画像を第２シート画像として表示させる。つまり、この例では、第２方向から見たシートの外観とは、シートの辺のうち載置部３２１に載ったときに搬出方向Ａ１の上流側に来る辺を上にして見たときの外観を意味する。図１７（ｂ）ではこうして表示面４７１に表示されたシート画像Ｃ１５が表されている。シート画像表示制御部４０４は、このように、画像Ｇ１１の上部を表示面４７１の上側に向けて表示させ、画像Ｇ１１の下部を表示面４７１の下側に向けて表示させる。これにより、シート画像に表された画像の上下が実際の画像の上下と共通することになるので、シートに形成される画像をユーザが把握しやすくなる。
【００７７】
［３−３］アニメーション
シート画像表示制御部４０４は、例えば図１０に表す例において、第２シート画像Ｃ１２を表示させた場合、第２シート画像Ｃ１２が表すシートＰ１の外観から、そのシートＰ１を第１方向から見た外観（図１０の例では図１０（ｂ）に表す実際の外観）に移り変わるアニメーションを表示させる。
【００７８】
図１８はシートの外観が移り変わるアニメーションの一例を表す。図１８（ａ）では、図２に表すＵＩ部４７に表示されたシート画像Ｃ１２が表されている。シート画像Ｃ１２は画像Ｇ１１が形成されたシートＰ１の裏面を表している。図１８（ｂ）、（ｃ）、（ｄ）、（ｅ）では、このシートＰ１が裏面から表面に徐々に裏返っていく様子を表す画像Ｃ１２１、Ｃ１２２、Ｃ１２３、Ｃ１２４が表されている。そして、図１８（ｆ）では、シートＰ１が完全に裏返って表面Ｂ１１（画像が形成されていない面）側から見たシートＰ１の外観を表すシート画像Ｃ１２５が表示されている。
【００７９】
このようにアニメーションが表示されることで、第２シート画像が表示された場合でも実際に載置部３２１に載っているシートの外観が伝えられることになる。なお、表示されるアニメーションはこれに限らない。例えば、シート画像表示制御部４０４が、図１４の例において、シート画像Ｃ１２から、画像Ｇ１１が上下逆さとなったシート（つまり図１４（ａ）に表すシートＰ１２に相当するシート）の外観を表すシート画像に移り変わるアニメーションを表示させてもよいし、図１６の例において、シート画像Ｃ１４から、画像Ｇ１１の上部が表示面４７１の左側を向いたシート（つまり図１６（ａ）に表すシートＰ１４に相当するシート）の外観を表すシート画像に移り変わるアニメーションを表示させてもよい。
【００８０】
また、図１８の例よりもアニメーションを表す画像の数を増やしてもよいし、減らしてもよい。アニメーションを表す画像には、少なくとも、第２シート画像（図１８の例ではシート画像Ｃ１２）と、第２シート画像が表すシートを第１方向から見た外観を表す画像（図１８の例では画像Ｃ１２５）とが含まれていればよい。
【００８１】
［３−４］シート画像
シート画像は、シートの外観を表す画像であるが、写真のように写実的に外観を表した画像であってもよいし、外観を変形させた画像であってもよい。例えば文章の画像に含まれる個々の文字などはシート画像では表しきれないので、各行を線分で表して文章が書いてあることを表してもよい。その場合も、シートにどのような画像が形成されているかということをユーザに伝えられる程度に実際のシートの外観に近い画像であることが望ましい。
【００８２】
［３−５］シート画像の表示タイミング
実施例では、シート画像表示制御部４０４が、画像がシートに形成されたタイミングでシート画像の表示を開始し、そのシートが搬出されたタイミングでシート画像を他のシート画像に重ねて表示させたが、これに限らない。例えば、シートが搬出されたタイミングでシート画像の表示を開始してもよいし、画像がシートに形成されるよりも前にシート画像の表示を開始してもよい。また、シートが搬出されて一定時間が経過してからシート画像の表示を開始させてもよい。また、シート画像を図７（ａ）、（ｂ）に表すように移動させずに、最初から図７（ｂ）に表すように他のシート画像に重ねて表示させてもよい。
【００８３】
［３−６］シート画像の表示対象及び期間
シート画像表示制御部４０４は、シートに形成される全ての画像についてシート画像を表示させてもよいし、一部の画像についてシート画像を表示させてもよい。例えば画像形成が高速になると、全ての画像についてシート画像を表示させると１つ１つのシート画像の確認が困難になるため、シート画像表示制御部４０４は、例えば５つの画像のうち１つについてシート画像を表示させるなどして、ユーザが画像を確認するために必要な期間だけシート画像を表示させることが望ましい。
【００８４】
［３−７］シート画像の数
シート画像表示制御部４０４は、実施例では２つ又は３つのシート画像を同時に表示させたが、これに限らず、同時に表示させるシート画像を１つだけにしてよいし、４つ以上のシート画像を同時に表示させてもよい。後者の場合に、シートに形成される前の画像と、画像が形成されて搬出される前の画像と、搬出された後の画像とがそれぞれ形成されたシート画像を並べて表示させて、各画像についての画像形成のプロセスの進捗が伝わるようにしてもよい。
【００８５】
［３−８］画像形成の中止
画像形成システム１においては、システムのエラー等で画像形成が中止されると、画像が形成されずに白紙のシートが搬出される場合がある。その場合に、シート画像表示制御部４０４は、その中止の前に最後に画像が形成されたシートの外観を表すシート画像を表示させる。これにより、最後に画像形成が行われた画像がユーザに伝わることになり、白紙のシート画像が表示される場合に比べて画像形成の続きを開始させる作業が行いやすくなる。
【００８６】
［３−９］複数画像が形成されたシート
シート画像表示制御部４０４は、複数の画像が１つのシートに形成される場合に、そのシートの外観を表すシート画像を表示させる。
図１９は本変形例のシート画像の一例を表す。図１９の例では、画像Ａ、Ｂ、Ｃ、Ｄという４つの画像が形成されたシートの外観を表すシート画像Ｃ２１が表されている。
【００８７】
この場合に、シート画像表示制御部４０４は、まず各画像が形成された４つのシートの外観を表すシート画像を表示させ、それらのシート画像が合わさってシート画像Ｃ２１になるまでの移り変わりを表すアニメーションを表示させてもよい。
図２０は本変形例のアニメーションの一例を表す。シート画像表示制御部４０４は、まず、図２０（ａ）に表すように、画像Ａ、Ｂ、Ｃ、Ｄがそれぞれ形成されたシート画像Ｃ２１１、Ｃ２１２、Ｃ２１３、Ｃ２１４を表示させる。
【００８８】
次に、シート画像表示制御部４０４は、図２０（ｂ）に表すように、各シート画像がそれぞれ弧を描きながら一点に集まっていくように移動させ、或る程度移動させたところで図２０（ｃ）に表すようにシート画像Ｃ２１の表示に切り替える。この場合に、シート画像Ｃ２１１、Ｃ２１２、Ｃ２１３、Ｃ２１４の各々のサイズを、シート画像Ｃ２１のサイズと共通させてもよい。そうすることで、最初からシート画像Ｃ２１を表示させる場合に比べて各画像を大きく表示して内容を確認しやすくするとともに、それらの画像がどのようにシートに形成されるかということが示されることになる。
【００８９】
［３−１０］文字の表示
シート画像表示制御部４０４は、シートの表面や裏面の外観を表すシート画像を表示させる場合に、そのことを表す文字を表示させてもよい。
図２１は本変形例のシート画像の一例を表す。図２１（ａ）では、シート画像表示制御部４０４が、図１８（ａ）に表されたシート画像Ｃ１２をＵＩ部４７に表示させるとともに、「裏面」という文字を表す文字画像Ｄ１を表示させている。
【００９０】
図２１（ｂ）では、シート画像表示制御部４０４が、図１８（ｆ）に表されたシート画像Ｃ１２５を表示させるとともに、「表面」という文字を表す文字画像Ｄ２を表示させている。これらの文字画像が表示されることで、各シート画像がシートのどの面（表面か裏面か）の外観を表しているかが示されることになる。
【００９１】
［３−１１］後処理の画像
後処理装置３０においてソートやステープルなどの後処理が施される場合に、シート画像表示制御部４０４が、それらの後処理が施されることを表す画像（静止画及び動画を含む）を表示させてもよい。
図２２は本変形例のシート画像の一例を表す。シート画像表示制御部４０４は、まず、図２２（ａ）に表すように画像Ａが形成されたシートの外観を表すシート画像Ｃ３１を表示させ、次に、図２２（ｂ）に表すようにステープルを表すステープル画像Ｅ１を重ねて表したシート画像Ｃ３２を表示させている。これにより、画像が形成されたシートにどのような後処理が施されるかということが示されることになる。
【００９２】
［３−１２］各機能を実現する装置
図８に表す各部はＵＩ装置４０以外の装置（例えば画像形成装置２０が備えるコントローラや、通信回線を介して画像形成装置２０に接続されるクライアント端末など）によって実現されてもよい。要するに、ロール紙の径や指示位置などの情報を処理して図８に表す各部の動作を行うことが可能であれば、どのような情報処理装置によってこれらの各部が実現されてもよい。
【００９３】
［３−１３］発明のカテゴリ
本発明は、ＵＩ端末のような情報処理装置及びその情報処理装置を備える画像形成システムとして捉えられる。また、その情報処理装置を制御するコンピュータが実施する処理を実現するための処理方法や、そのコンピュータを図８に表す各部として機能させるためのプログラムとしても捉えられる。このプログラムは、それを記憶させた光ディスク等の記録媒体の形態や、インターネット等の通信回線を介してコンピュータにダウンロード及びインストールさせて利用可能にするなどの形態で提供される。
【符号の説明】
【００９４】
１…画像形成システム、１０…シート供給装置、１２…シート収容部、１３、２３、３３…シート搬送部、２０…画像形成装置、２１…コントローラ、２２…画像形成部、３０…後処理装置、３２…外部蓄積部、３４…シート蓄積部、３５…内部蓄積部、４０…ＵＩ装置、４７…ＵＩ部、４０１…画像取得部、４０２…画像向き取得部、４０３…両面・片面設定取得部、４０４…シート画像表示制御部
【図１】
0006565536.tif 000002
【図２】
0006565536.tif 000003
【図３】
0006565536.tif 000004
【図４】
0006565536.tif 000005
【図５】
0006565536.tif 000006
【図６】
0006565536.tif 000007
【図７】
0006565536.tif 000008
【図８】
0006565536.tif 000009
【図９】
0006565536.tif 000010
【図１０】
0006565536.tif 000011
【図１１】
0006565536.tif 000012
【図１２】
0006565536.tif 000013
【図１３】
0006565536.tif 000014
【図１４】
0006565536.tif 000015
【図１５】
0006565536.tif 000016
【図１６】
0006565536.tif 000017
【図１７】
0006565536.tif 000018
【図１８】
0006565536.tif 000019
【図１９】
0006565536.tif 000020
【図２０】
0006565536.tif 000021
【図２１】
0006565536.tif 000022
【図２２】
0006565536.tif 000023